(57)【要約】【課題】発光素子や受光素子を取付けたホルダの両側面側からの開放距離が十分で場合でも、上記ホルダの位置決めを容易にかつ確実に行うことのできる光ピックアップ用光学部品の位置決め方法を提供する。【解決手段】ホルダ２０の、フォトディテクタ３０が固定される側面と隣接する側面にＶ字状の溝部２３を設け、他方の側面に基準面となる下面と所定の角度をなす面取り部２５を設けるとともに、このホルダ２０を、接続部材４３を介して平行移動可能に取付けられた、上記Ｖ字状の溝部２３に当接する位置決めピン４６が立設された第１のガイド部材４１と、上記面取り部２５に当接する、上記面取り部２５に平行な当接面４７ａが形成された突起部４７を有するガイド部品４８が立設された第２のガイド部材４２とを備えたホルダ保持部材４０に保持した後、上記ホルダ保持部材４０の位置を微調整するようにした。【選択図】        図１
2004348779.tif 000002
【特許請求の範囲】
【請求項１】
受光素子または発光素子が取付けられたホルダをホルダ保持部材により保持した後、上記ホルダ保持部材の位置を調整して、上記受光素子または発光素子のハウジングへの位置決めを行う光学部品の位置決め方法において、上記ホルダの取付け基準面となる下面が搭載されるフランジ面が形成されたホルダ保持部材にストッパー部材を設けて、上記ホルダの一方の側面を上記ストッパー部材に当接させるとともに、上記ホルダの上記ストッパー部材と当接する側面と対向する側面に、上記基準面と所定の角度をなす面取り部を設け、この面取り部に上記ホルダ保持部材に設けられた上記面取り部に当接する当接面を有するガイド部品の上記当接面を押し付けて、上記ホルダを上記ホルダ保持部材に保持するようにしたことを特徴とする光学部品の位置決め方法。
【請求項２】
上記ホルダの面取り部がある側面と対向する側面に、ホルダの下面に対して垂直な方向に延長するＶ溝を設けるとともに、上記ストッパー部材を、上記フランジ部に立設された、上記Ｖ溝の内壁に当接する位置決めピンとしたことを特徴とする請求項１に記載の光学部品の位置決め方法。
【請求項３】
上記ホルダ支持部材を、上記位置決めピンが立設された第１のガイド部材と、この第１のガイド部材と上記ホルダの側面に垂直な方向に互いに平行移動させる平行移動手段を介して取付けられた第２のガイド部材とから構成するとともに、上記ガイド部品を上記第２のガイド部材上に立設したことを特徴とする請求項１または請求項２に記載の光学部品の位置決め方法。
【請求項４】
請求項１〜請求項３のいずれかに記載の光学部品の位置決め方法に用いられる光学部品用ホルダであって、受光素子または発光素子が固定される側面と隣接する側面の一方に、ホルダの取付け基準面となる下面に対して垂直な方向に延長するＶ溝を設け、他方の側面に上記基準面と３０〜６０°の角度をなす面取り部を設けたことを特徴とする光学部品用ホルダ。
【請求項５】
請求項４に記載の光学部品用ホルダを保持するホルダ保持部材であって、上記ホルダの基準面を取付けるためのフランジ面と、このフランジ面に立設され、上記Ｖ溝に当接する位置決めピンとを備えた第１のガイド部材と、この第１のガイド部材に、上記第１のガイド部材と上記ホルダの側面に垂直な方向に互いに平行移動させる平行移動手段を介して取付けられた第２のガイド部材とを備えるとともに、上記第２のガイド部材上に、上記面取り部に当接する、上記面取り部に平行な当接面を有するガイド部品を立設したことを特徴とするホルダ保持部材。
【請求項６】
上記ガイド部品の上記面取り部に当接する面を円筒もしくは球の一部をなす曲面とするとともに、その当接する面の法線と上記位置決めピンの軸線とを含む平面が上記フランジ面と直交するようにしたことを特徴とする請求項５に記載のホルダ保持部材。
【請求項７】
請求項１〜請求項３のいずれかに記載の光学部品の位置決め方法に用いられる光学部品用ホルダであって、受光素子または発光素子が固定される側面と隣接する側面の一方に、軸が上記受光素子または発光素子の光軸と平行な円筒の一部となる面取り部を設けたことを特徴とする光学部品用ホルダ。
【請求項８】
請求項７に記載の光学部品用ホルダを保持するホルダ保持部材であって、上記面取り部と接するとともに、その当接する面の法線と上記位置決めピンの軸線とを含む平面が上記フランジ面と直交するような当接面を有するガイド部品を備えたことを特徴とするホルダ保持部材。
【発明の詳細な説明】
【０００１】
【発明の属する技術分野】
本発明は、光ピックアップの光学系を構成する光学部品の位置決め方法に関するもので、特に、ホルダに取付けられた発光部品や受光部品を光ピックアップのハウジングの所定の箇所に保持する方法に関する。
【０００２】
【従来の技術】
従来、ＣＤ，ＤＶＤ等の光ディスクの再生または記録・再生に使用されるディスク記録再生装置の光ピックアップの光学系を構成する光学部品であるレーザやフォトディテクタなどの発光素子や受光素子をピックアップシャーシに取付ける際には、そのスポット径やＲＦ波形、ジッター等を測定しながら、その取付け位置が最良となる位置になるように微調整しながら取付けるようにしている。しかしながら、上記発光素子や受光素子を単体で直接保持して調整することは困難であるので、一般には、上記発光素子や受光素子を、その光軸に垂直な基準面を有するホルダに取付けて、このホルダを調整機に搭載して上記発光素子や受光素子の位置決めを行っている。
図７は、受光素子であるフォトディテクタ３０のホルダ６０への取付方法の一例を示す図で、ホルダ６０の側面６０ａにフレキシブル基板３２を両面テープ等で貼付けた後、フォトディテクタ３０を、上記側面６０ａに形成された取付け溝部６１に接着剤等で固定する。上記ホルダ６０の上記側面６０ａと隣接する側面６０ｃ及び側面６０ｄには、後述する調整機によるホルダ６０の保持調整を行うため、上記フォトディテクタ３０の光軸に垂直な方向で、かつ、上記側面６０ａに平行な方向に延長する断面形状がＶ字状の突出部６０ｐと断面形状がコの字状の溝部６０ｑとが設けられている。
【０００３】
上記フォトディテクタ３０の位置決めを行う際には、まず、図８に示すように、レンズホルダ６４ａやこのレンズホルダ６４ａを駆動するアクチュエータ６４ｂ、各種光学部品、及び、各部品のフレキシブル基板が取付けられたピックアップシャーシ６４を、ピックアップシャーシ固定部材６５に設けられたガイド部材６５ａ，６５ｂに取付ける。次に、上記ホルダ６０を、図示しない３軸ステージに搭載されたホルダ調整部材６６に取付けて保持し、その位置を微調整した後、上記ホルダ６０を上記ピックアップシャーシ６４の端面６４ｃ側に取付ける。上記ホルダ調整部材６６は、図９（ａ）にも示すように、平行移動手段６６ｃを介して連結された、断面がＬ字状の第１のガイド部材６６ａと、第２のガイド部材６６ｂとを備えており、上記第１のガイド部材６６ａの水平片の側面側には、断面形状が上記ホルダ６０のＶ字状の突出部６０ｐに対応する溝部６６ｐが形成された突出部６６ｍを有する第１のホルダ保持部６６Ｐが取付けられており上記第２のガイド部材６６ｂの側面側には、断面形状が上記ホルダ６０のコの字状の溝部６０ｑに対応する凸部６６ｑを有する第２のホルダ保持部６６Ｑが取付けられている。
【０００４】
上記ホルダ６０を上記ホルダ調整部材６６に取付ける際には、図９（ｂ），（ｃ）に示すように、上記第１のホルダ保持部６６Ｐを上記ホルダ６０の突出部６０ｐに、上記第２のホルダ保持部６６Ｑを上記ホルダ６０の溝部６０ｑにそれぞれ挿入した後、上記第１のガイド部材６６ａと第２のガイド部材６６ｂ間の距離を調整する調整ネジ６６ｋの位置を調整することにより、ホルダ６０を左右から挟み込み、上記ホルダ６０を上記ホルダ調整部材６６に取付ける。
そして、図示しない３軸ステージにより、上記ホルダ調整部材６６を移動させながら、上記ホルダ６０に取付けられたフォトディテクタ３０の位置を微調整し、上記ホルダ６０を位置決めした後、上記ホルダ６０を接着剤等で上記ピックアップシャーシ６４に固定する。
【０００５】
しかしながら、上記ホルダ調整部材６６は、上記のように、ホルダ６０をピックアップシャーシ６４の端面６４ｃ側に取付ける場合のように、ホルダ６０の両側面６０ｃ，６０ｄ側が開放されている場合には問題はないが、図１０に示すような、ノート型パソコンに搭載される薄型の光ピックアップなどのように、ホルダ６０をピックアップシャーシ１０内に収納するタイプのものでは、ホルダ６０の取付け場所が制限されるため、上記ホルダ６０の両側面６０ｃ，６０ｄ側からの開放距離が十分とれず、そのため、上記のようなホルダ調整部材６６を用いることができなかった。
そこで、図１０及び図１１に示すように、ホルダ７０を磁性材料で構成するとともに、上記ホルダ７０の下側をマグネット８１で吸着して保持するホルダ固定治具８０を用いて上記ホルダ７０の位置決めを行う方法が考えられている。具体的には、ホルダ７０に上記ホルダ７０の上下の面７０ａ，７０ｂを貫通する位置決め用の孔７１，７１を形成するとともに、ピックアップシャーシ１０の上記ホルダ７０を収納する部分の底部１０ｄを開放しておき、その下部に、図示しない３軸ステージに搭載され、上記ホルダ７０の位置を位置決めするための２本の位置決めピン８２，８２が立設されたホルダ固定治具８０を配置し、図１２に示すように、上記位置決めピン８２，８２を上記ホルダ７０の位置決め用の孔７１，７１に挿入する。なお、このとき、上記位置決めピン８２，８２を、上記ホルダ７０の取付け基準面である下面７０ｂに平行なフランジ面８３に立設するとともに、上記位置決めピン８２，８２の間にマグネット８１を配置し、上記ホルダ７０の下面７０ｂを上記ホルダ固定治具８０の上記フランジ面８３に当接させるように取付ける。そして、図示しない３軸ステージにより、上記ホルダ固定治具８０を前後、上下、左右に移動させながら、上記ホルダ７０に取付けられたフォトディテクタ３０の位置を微調整して上記ホルダ７０が最良の位置に位置決めした後、上記ホルダ７０を接着剤等で上記ピックアップシャーシ１０に固定する。
これにより、ホルダ７０の両側面７０ｃ，７０ｄ側からの開放距離が十分とれない場合でも、上記ホルダ７０の位置決めを行うことが可能となる。
【０００６】
【発明が解決しようとする課題】
ところで、上記方法では、ホルダ７０の下部７０ｂをホルダ固定治具８０のフランジ面８３に当接させるために、マグネット８１の吸着力を利用していることから、上記ホルダ７０をホルダ固定治具８０から取り外す際には、上記マグネット８１による吸着力よりも強い力を加える必要があるが、上記力が強いと、上記ピックアップシャーシ１０に接着固定したホルダ７０が剥離してしまう恐れがある。したがって、上記ホルダ７０に衝撃力が加わらないように、上記ホルダ固定治具８０を上記ホルダ７０から引き抜く必要があった。また、接着部にクラックが入っていないか、剥離はないかなどの検査を行う必要があった。
また、マグネット８１による吸着力を弱くすれば、上記ホルダ７０の引き抜き作業は容易となるが、ホルダ７０が上記位置決めピン８２，８２に平行に保持されず、位置決め精度が悪くなってしまうといった問題点があった。
【０００７】
本発明は、従来の問題点に鑑みてなされたもので、発光素子や受光素子を取付けたホルダの両側面側からの開放距離が十分とれない場合でも、上記ホルダの位置決めを容易にかつ確実に行うことのできる光ピックアップ用光学部品の位置決め方法と、これに用いられる光学部品用ホルダ及びホルダ保持部材を提供することを目的とする。
【０００８】
【課題を解決するための手段】
本発明の請求項１に記載の発明は、受光素子または発光素子が取付けられたホルダをホルダ保持部材により保持した後、上記ホルダ保持部材の位置を調整して、上記受光素子または発光素子のハウジングへの位置決めを行う光学部品の位置決め方法において、上記ホルダの取付け基準面となる下面が搭載されるフランジ面が形成されたホルダ保持部材にストッパー部材を設けて、上記ホルダの一方の側面を上記ストッパー部材に当接させるとともに、上記ホルダの上記ストッパー部材と当接する側面と対向する側面に、上記基準面と、ホルダのフォトディテクタ取付け面のアスペクトや、ストッパー部材の摩擦係数などに応じた所定の角度をなす面取り部を設け、この面取り部に上記ホルダ保持部材に設けられた上記面取り部に当接する当接面を有するガイド部品の上記当接面を押し付けて、上記ホルダを上記ホルダ保持部材に保持するようにしたことを特徴とする。これにより、ホルダの両側面側からの開放距離が十分とれない場合でも、上記ホルダの位置決めを容易にかつ確実に行うことが可能となる。
【０００９】
請求項２に記載の発明は、上記ホルダの面取り部がある側面と対向する側面に、ホルダの下面に対して垂直な方向に延長するＶ溝を設けるとともに、上記ストッパー部材を、上記フランジ部に立設された、上記Ｖ溝の内壁に当接する位置決めピンとしたことを特徴とする。
請求項３に記載の発明は、上記ホルダ支持部材を、上記位置決めピンが立設された第１のガイド部材と、この第１のガイド部材と上記ホルダの側面に垂直な方向に互いに平行移動させる平行移動手段を介して取付けられた第２のガイド部材とから構成するとともに、上記ガイド部品を上記第２のガイド部材上に立設したことを特徴とする。
【００１０】
また、請求項４に記載の発明は、請求項１〜請求項３のいずれかに記載の光学部品の位置決め方法に用いられる光学部品用ホルダであって、受光素子または発光素子が固定される側面と隣接する側面の一方に、ホルダの取付け基準面となる下面に対して垂直な方向に延長するＶ溝を設け、他方の側面に上記基準面と３０〜６０°の角度をなす面取り部を設けたことを特徴とするものである。
請求項５に記載の発明は、請求項４に記載の光学部品用ホルダを保持するホルダ保持部材であって、上記ホルダの基準面を取付けるためのフランジ面と、このフランジ面に立設され、上記Ｖ溝に当接する位置決めピンとを備えた第１のガイド部材と、この第１のガイド部材に、上記第１のガイド部材と上記ホルダの側面に垂直な方向に互いに平行移動させる平行移動手段を介して取付けられた第２のガイド部材とを備えるとともに、上記第２のガイド部材上に、上記面取り部に当接する、上記面取り部に平行な当接面を有するガイド部品を立設したものである。
請求項６に記載の発明は、上記ガイド部品の上記面取り部に当接する面を円筒もしくは球の一部をなす曲面とするとともに、その当接する面の法線と上記位置決めピンの軸線とを含む平面が上記フランジ面と直交するようにしたものである。
【００１１】
また、請求項７に記載の発明は、請求項１〜請求項３のいずれかに記載の光学部品の位置決め方法に用いられる光学部品用ホルダであって、受光素子または発光素子が固定される側面と隣接する側面の一方に、軸が上記受光素子または発光素子の光軸と平行な円筒の一部となる面取り部を設けたものである。
請求項８に記載の発明は、請求項７に記載の光学部品用ホルダを保持するホルダ保持部材であって、上記面取り部と接するとともに、その当接する面の法線と上記位置決めピンの軸線とを含む平面が上記フランジ面と直交するような当接面を有するガイド部品を備えたものである。
【００１２】
【発明の実施の形態】
以下、本発明の実施の形態について、図面に基づき説明する。
図１〜図３は、本発明の一実施の形態を示す図で、本例では、図１に示すような、ホルダの取付け場所が制限されているピックアップシャーシ１０内に、ホルダ２０に固定されたフォトディテクタ３０を取付ける場合について説明する。
まず、図２に示すように、フォトディテクタ３０を略直方体状のホルダ２０に固定し、このホルダ２０を、図示しない３軸ステージに搭載されたホルダ保持部材４０に取付ける。このとき、フォトディテクタ３０の受光面３０ａと平行な面である端子部３１の突出面を素子基準面３０ｂとし、上記素子基準面３０ｂをホルダ２０のフォトディテクタ取付け基準面（フォトディテクタ３０の光軸と垂直となる面）となる側面２０ａに取付ける。具体的には、ホルダ２０の側面２０ａに上記フォトディテクタ３０の外形よりも若干大きな取付け溝部２１を形成し、その両側をフレキシブル基板取付け面２２として、このフレキシブル基板取付け面２２に、ホルダ２０の上面２０ｂ側から、フレキシブル基板３２を両面テープ等で貼付けた後、上記取付け溝部２１にフォトディテクタ３０の受光面３０ａ側を接着剤等で固定するとともに、上記端子部３１を上記フレキシブル基板３２に半田付けする。これにより、フォトディテクタ３０の受光面３０ａとホルダ２０のフォトディテクタ取付け基準面である側面２０ａとが平行になるように、すなわち、フォトディテクタ３０の光軸が上記側面２０ａと垂直になるように、フォトディテクタ３０をホルダ２０に取付けることができる。
また、本例では、フォトディテクタ３０の光軸と平行でかつ上記側面２０ａと垂直な面であるホルダ２０の下面２０ｃを、ホルダ保持部材４０への取付け基準面とし、上記側面２０ａに隣接する一方の側面２０ｄに、上記基準面となる下面２０ｃに対して垂直な方向に延長するＶ字状の溝部２３を設け、上記側面２０ｄに対向する側面２０ｅの上端部に、上記基準面となる下面２０ｃに対して、略４５°の角度をなす面取り部２５を形成する。
【００１３】
上記ホルダ保持部材４０は、ホルダ保持部となる水平片４１ａとこの水平片４１ａの端部から下方に突出する垂直片４１ｂとから成る断面がＬ字状の第１のガイド部材４１と、この第１のガイド部材４１の水平片４１ａの下方に配置された平板状の第２のガイド部材４２と、上記第１のガイド部材４１と第２のガイド部材４２との間に介挿された接続部材４３と、上記第１のガイド部材４１の垂直片４１ｂの下端側の図示しない貫通孔に挿入され、上記第２のガイド部材４２の底面から下方に突出する受け部材４２ｂに設けられたネジ部（図示せず）に螺入される調整ネジ４４とを備えている。
上記第１のガイド部材４１の上記垂直片４１ｂとは反対側の上面には、上記ホルダ２０の取付け基準面である下面２０ｃを取付ける台座となるフランジ部４５が設けられており、このフランジ部４５に位置決めピン４６が立設されている。また、第２のガイド部材４２の上面で、上記フランジ部４５の位置決めピン４６とは反対側には、上記位置決めピン４６側に、上記ホルダ２０の面取り部２５に当接する、上記フランジ部４５に対して略４５°の角度をなす当接面４７ａが形成された突起部４７を備えたガイド部品４８が、上記位置決めピン４６と所定の間隔を隔てて立設されている。
また、上記接続部材４３は、詳細には、第１のガイド部材４１の上記水平片４１ａの底面に固定されたレール部材４３ｍと、上記第２のガイド部材４２の上面に固定され、上記レール部材４３ｍに沿ってスライドするスライド部材４３ｎとから成り、上記調整ネジ４４を締めつけたり緩めたりして、上記スライド部材４３ｎを上記レール部材４３ｍに沿ってスライドさせることにより、上記第１のガイド部材４１上に設けられた位置決めピン４６と上記第２のガイド部材４２上に設けられたガイド部品４８との距離を調整することができる。
【００１４】
次に、フォトディテクタ３０のハウジングへの取付方法について説明する。
まず、図１に示すように、ハウジングであるピックアップシャーシ１０を、ピックアップシャーシ固定部材５０のガイド部材５１，５２に取付ける。具体的には、ピックアップシャーシ１０のシャーシ取付部１１，１２に設けられたガイド穴１１ａ，１２ａに上記ガイド部材５１，５２を差し込み、ピックアップシャーシ１０を上記ガイド部材５１，５２に沿って案内することにより、上記ピックアップシャーシ１０を上記ピックアップシャーシ固定部材５０の所定の位置にセッティングする。
次に、上記フォトディテクタ３０が取付けられたホルダ２０を、上記ピックアップシャーシ１０のフォトディテクタ取付け位置の下方に位置されたホルダ保持部材４０に取付ける。
具体的には、図３（ａ），（ｂ）に示すように、ホルダ２０の側面２０ｄに設けられたＶ字状の溝部２３に位置決めピン４６を当接させながら、上記ホルダ２０の下面２０ｃを上記フランジ部４５に当接させる。次に、調整ネジ４４を締めつけて第１のガイド部材４１を第２のガイド部材４２側に引寄せることにより、上記ガイド部品４８を上記ホルダ２０に当接させる。上記ガイド部品４８には、上記ホルダ２０の面取り部２５に当接する当接面４７ａが形成された突起部４７が設けられているので、上記ガイド部品４８を上記位置決めピン４６方向に引寄せて上記面取り部２５に当接面４７ａを押し付けると、上記ホルダ２０には、図３（ｂ）の矢印で示すように、水平方向と垂直方向の２方向の分力が作用する。したがって、上記ホルダ２０のＶ字状の溝部２３を上記位置決めピン４６に完全に当接させることができるとともに、ホルダ２０の下面２０ｃがフランジ部４５側に押しつけられるので、ホルダ２０を、フォトディテクタ３０の受光面３０ａを上記フランジ部４５に垂直でかつ光軸と垂直な方向に保持することができる。
次に、図示しない３軸ステージにより、上記ホルダ保持部材４０を前後、上下、左右（場合によっては、回転も含む）に移動させながら、上記ホルダ２０の位置を微調整し、上記ホルダ２０が最良の位置に位置決めされた後、上記ホルダ２０を接着剤等で上記ピックアップシャーシ１０に固定する。そして、上記ホルダ２０がピックアップシャーシ１０に固着された段階で、調整ネジ４４を緩めて上記ホルダ２０を上記ホルダ保持部材４０から開放した後、ピックアップシャーシ１０をピックアップシャーシ固定部材５０から外す。
【００１５】
なお、調整ネジ４４を締めつける前の状態が、ホルダ２０が第１のガイド部材４１に対して多少傾いていた場合でも、Ｖ字状の溝部２３と位置決めピン４６とにより芯出しが行えるので、ホルダ２０の面取り部２５とガイド部品４８の当接面４７ａとは平行になるように修正される。
また、ホルダ２０のＶ字状の溝部２３を位置決めピン４６を当接させながら第１のガイド部材４１に搭載するようにすれば、ホルダ２０を保持する際のガイド部品４８の移動量を、ホルダ２０の面取り部２５とガイド部品４８の当接面４７ａとのオーバーラップ量Ｃと略等しくすることができるので、調整ネジ４４によるガイド部品４８の移動範囲（同図の、Ｃ＋α）を従来に比べて極めて小さくすることができる。したがって、ホルダ２０の取付け場所が制限されている場合でも、容易にかつ正確にホルダ２０を保持することができる。
【００１６】
このように、本実施の形態では、ホルダ２０の、フォトディテクタ３０が固定される側面２０ａと隣接する側面２０ｄに、上記ホルダ２０の取付け基準面となる下面２０ｃに対して垂直な方向に延長するＶ字状の溝部２３を設け、他方の側面２０ｅに上記基準面（下面２０ｃ）と３０〜６０°の角度をなす面取り部２５を設けるとともに、このホルダ２０を、接続部材４３を介して平行移動可能に取付けられた、上記Ｖ字状の溝部２３に当接する位置決めピン４６が立設された第１のガイド部材４１と、上記面取り部２５に当接する、上記面取り部２５に平行な当接面４７ａが形成された突起部４７を有するガイド部品４８が立設された第２のガイド部材４２とを備えたホルダ保持部材４０の上記位置決めピン４６に、上記Ｖ字状の溝部２３に当接させるとともに、上記面取り部２５に上記ガイド部品４８の当接面４７ａを押し付けるようにして、上記ホルダ２０を上記ホルダ保持部材４０に保持した後、上記ホルダ保持部材４０の位置を微調整して、上記ホルダ２０が最良の位置に位置決めするようにしたので、ホルダ２０の取付け場所が制限されている場合でも、容易にかつ正確にフォトディテクタ３０をハウジングであるピックアップシャーシ１０の所定の位置に取付けることができる。
【００１７】
なお、上記実施の形態では、ホルダ２０の面取り部２５を、ホルダ保持部材４０への取付け基準面となる下面２０ｃに対して、略４５°の角度をなす面とし、上記ガイド部品４８がホルダ２０を水平方向に押す力と垂直方向に押す力との比を１：１としたが、上記面取り部２５の角度はこれに限るものではなく、ホルダ２０が当接する部分の摩擦係数や、ホルダ２０の形状、特に、フォトディテクタ取付け基準面となる側面２０ａのアスペクト比等により決定される所定の角度に設定されるものである。なお、水平方向と垂直方向との両方に有効に押圧を作用させるためには、上記角度としては２０°〜７０°の範囲とすることが好ましく、３０°〜６０°の範囲とすれば更に好ましい。
また、上記例では、ガイド部品４８の当接面４７ａを上記面取り部２５と平行な面としたが、図４に示すように、当接面を、円筒の一部をなす曲面となる面（当接面４７ｂ）としてもよい。このとき、上記面取り部２５と接する当接面４７ｂの法線と上記位置決めピン４６の軸線とを含む平面が上記フランジ部４５の面と直交するように上記当接面４７ｂを形成する。これにより、ホルダ２０に不要な回転力が生じることがないので、ホルダ２０をホルダ保持部材４０に精度よく保持することができる。
あるいは、当接面を、球の一部をなす曲面とするとともに、上記面取り部２５と接する当接面の法線と上記位置決めピン４６の軸線とを含む平面が上記フランジ部４５の面と直交する面としてもよい。このように、上記当接面４７ｂと上記面取り部２５とを、押圧の方向が上記フランジ部４５の面と直交する面内で線接触または点接触させるようにすることにより、上記面取り部２５に更に有効に押圧を作用させることができる。
また、図５に示すように、ホルダ２０の面取り部２５Ｒを円筒の一部となる面とし、当接面４７ｃを上記円筒に接線で接する面としても同様の効果を得ることができる。なお、この場合にも、ホルダ２０に不要な回転力が生じることがないように、上記面取り部２５と接する当接面４７ｃの法線と上記位置決めピン４６の軸線とを含む平面が上記フランジ部４５の面と直交するように上記当接面４７ｃを形成する。
また、上記実施の形態では、光ピックアップの受光素子であるフォトディテクタ３０の位置決め方法について説明したが、本発明はこれに限るものではなく、例えば、発光素子であるレーザのような他の光学部品の位置決めにも適用可能である。具体的には、図６に示すように、ホルダ２０Ｄを、素子の取付部の構造等は異なるが、上記ホルダ２０と同様に側面２０ｅに面取り部２５Ｄが形成された構成とし、このホルダ２０Ｄに発光素子であるレーザ３０Ｌを取付けて、これを上記ホルダ保持部材４０と同様の、上記面取り部２５Ｄに当接する当接面４７Ｄを有するガイド部品４８Ｄが立設されたホルダ保持部材４０Ｄに取付けて、上記ホルダ保持部材４０Ｄの位置を微調整して、上記ホルダ２０Ｄのピックアップシャーシ１０への位置決めを行うようにすればよい。
【００１８】
【発明の効果】
以上説明したように、本発明によれば、受光素子または発光素子が取付けられたホルダの取付け基準面となる下面が搭載されるホルダ保持部材にストッパー部材を設けて、上記ホルダの一方の側面を上記ストッパー部材に当接させるとともに、上記ホルダの上記ストッパー部材と当接する側面と対向する側面に、上記基準面と３０°〜６０°の角度をなす面取り部を設け、この面取り部に上記ホルダ保持部材に設けられた上記面取り部に当接する当接面を有するガイド部品の上記当接面を押し付けて、上記ホルダを上記ホルダ保持部材に保持するようにしたので、ホルダの取付け場所が制限されている場合でも、容易にかつ正確にホルダを保持することができる。
【図面の簡単な説明】
【図１】本発明の実施の形態に係る光学部品の位置決め方法を示す図である。
【図２】本発明の実施の形態に係るホルダとホルダ保持部材の構成を示す図である。
【図３】本発明の実施の形態に係るホルダの保持方法を示す図である。
【図４】本発明によるホルダの保持方法の他の例を示す図である。
【図５】本発明によるホルダの保持方法の他の例を示す図である。
【図６】本発明による光学部品の位置決め方法を示す図である。
【図７】従来のホルダの構成を示す図である。
【図８】従来の光学部品の位置決め方法を示す図である。
【図９】従来のホルダの保持方法を示す図である。
【図１０】光学部品の位置決め方法の他の従来例を示す図である。
【図１１】従来のホルダとホルダ支持部材を示す図である。
【図１２】従来のホルダの保持方法を示す図である。
【符号の説明】
１０  ピックアップシャーシ、１１，１２  シャーシ取付部、
１１ａ，１２ａ  ガイド穴、２０  ホルダ、２０ａ  側面（フォトディテクタ取付け基準面）、２０ｂ  上面、２０ｃ  下面、２０ｄ，２０ｅ  側面、２１  取付け溝部、２２  フレキシブル基板取付け面、２３  Ｖ字状の溝部、２５  面取り部、３０  フォトディテクタ、３０ａ  受光面、３０ｂ  素子基準面、３１  端子部、３２  フレキシブル基板、４０  ホルダ保持部材、４１  第１のガイド部材、４１ａ  水平片、４１ｂ  垂直片、４２  第２のガイド部材、４２ｂ  受け部材、４３  接続部材、４３ｍ  レール部材、４３ｎ  スライド部材、４４  調整ネジ、４５  フランジ部、４６  位置決めピン、４７  突起部、４７ａ  当接面、４８  ガイド部品、５０  ピックアップシャーシ固定部材、５１，５２  ガイド部材。
【図１】
2004348779.tif 000003
【図２】
2004348779.tif 000004
【図３】
2004348779.tif 000005
【図４】
2004348779.tif 000006
【図５】
2004348779.tif 000007
【図６】
2004348779.tif 000008
【図７】
2004348779.tif 000009
【図８】
2004348779.tif 000010
【図９】
2004348779.tif 000011
【図１０】
2004348779.tif 000012
【図１１】
2004348779.tif 000013
【図１２】
2004348779.tif 000014